(57)【特許請求の範囲】
【請求項１】
複数個の容器が並列配置されてなる容器群の上面を覆う上面板と、前記上面板の両側部のそれぞれに連接され、並列配置された容器群の側面を覆うように対向配置される側面板と、前記側面板のそれぞれに連接され、互いに係着し得る係止部を有する底面板とを備え、前記底面板同士を係着することにより前記容器群を包むように収納可能であるとともに、前記側面板が存在しない両端部において前記容器群の一部の側面を視認可能な開口部が形成されるマルチパック用包装箱において、
前記側面板と前記底面板との前記開口部近傍における境界部に位置し、前記側面板と前記底面板とを連接する連接部を有し、
前記側面板の開口部側端辺のうちの前記底面板側に位置する開口部側端辺は、前記底面板に向かうに従って前記開口部側方向に傾斜する傾斜辺を含み、
前記傾斜辺と、前記底面板の開口部側端辺とは、前記連接部の開口部側端辺を構成する連接辺を介して連続しており、
前記連接部は、前記連接辺、前記開口部近傍における前記側面板と前記底面板との境界部に位置する所定の点から前記傾斜辺と前記連接辺との連続部に至る第１の折り線、及び当該所定の点から前記底面板の開口部側端辺と前記連接辺との連続部に至る第２の折り線により囲まれた領域として構成され、 
前記マルチパック用包装箱を組み立てたとき、前記連接辺は、前記開口部の開口縁の一部を構成するようにして前記開口部側に露出する 
ことを特徴とするマルチパック用包装箱。
【請求項２】
前記底面板の開口部側端辺は、当該底面板の開口部側端辺に連続する前記連接辺よりも前記開口部側に位置していることを特徴とする請求項１に記載のマルチパック用包装箱。
【請求項３】
前記側面板と前記底面板との境界部のうちの前記開口部近傍以外の部分に、折り線が形成されており、
前記連接辺は、前記折り線を前記開口部側に伸ばした仮想線と交差するように位置していることを特徴とする請求項１又は２に記載のマルチパック用包装箱。
【請求項４】
前記連接辺は、角部が丸められてなる折曲部を有していることを特徴とする請求項１〜３のいずれかに記載のマルチパック用包装箱。
【請求項５】
前記連接辺は、前記開口部側に向かって凸となる湾曲形状を有していることを特徴とする請求項１〜３のいずれかに記載のマルチパック用包装箱。
【請求項６】
前記傾斜辺と前記連接辺との連続部及び／又は前記底面板開口部側端辺と前記連接辺との連続部は、前記開口部側に向かって凹となる湾曲形状を有していることを特徴とする請求項１〜５のいずれかに記載のマルチパック用包装箱。
【請求項７】
前記側面板と前記底面板との境界部のうちの前記開口部近傍以外の部分に、折り線が形成されており、
前記折り線を跨ぐように容器底固定片が形成されていることを特徴とする請求項１〜６のいずれかに記載のマルチパック用包装箱。
【請求項８】
請求項１〜７のいずれかに記載のマルチパック用包装箱に容器を収納してなることを特徴とするマルチパック包装製品。
【発明の詳細な説明】
【技術分野】
【０００１】
本発明は、例えば缶ビール、発泡酒缶、チューハイ缶等のアルコール飲料缶；缶ジュース、缶コーヒー、缶紅茶、缶入り茶等のノンアルコール飲料缶等の飲料が充填された容器を一定数量並列した状態のまま包装するマルチパック用包装箱に関する。
【背景技術】
【０００２】
従来、缶ビールや缶ジュース等の容器を複数個、一列で又は複数列で起立させた状態のまま整列させて置き、複数個の容器からなる容器群の上面（天面）、側面及び下面（底面）を包み込むようにして包装することのできる紙製のマルチパック用包装箱が使用されている。かかるマルチパック用包装箱は、一般に、容器群の上面（天面）を覆う上面板、上面板の対向する両端部のそれぞれに連接され、容器群の側面を覆う側面板、及び各側面板の端部に連接され、容器群の下面（底面）を覆う底面板を備え、側面板が存在しない両端部において容器群の少なくとも一部の側面を視認可能な開口部が形成されている。
【０００３】
このようなマルチパック用包装箱を使用することにより、複数個の缶ビールや缶ジュース等を１個の包装体に纏め、一度にかつ簡易に持ち運ぶことができるようになり、さらに、纏め売りの効果も相俟って、当該マルチパック用包装箱の使用が近年急速に拡大しつつある。
【０００４】
かかるマルチパック用包装箱としては、開口部から内容物（容器）が飛び出したり脱落したりするのを防止すべく、マルチパック用包装箱の内側に折り込まれることで容器を保持する機能を有する押込フラップ片と、上面板の隅部にまで至る上部抜き止め片（上部ガゼット）とが、側面板の開口部側端部に連接されているが、いわゆる下部ガゼットが設けられていないものが提案されている（特許文献１参照）。
【先行技術文献】
【特許文献】
【０００５】
【特許文献１】米国特許第６９８８６１７号明細書
【発明の概要】
【発明が解決しようとする課題】
【０００６】
このようなマルチパック用包装箱において、製造工程における搬送路上の搬送中に、当該搬送路上で前後に位置する包装箱同士が、その開口部側で接触してしまったり、搬送中における包装箱の位置ズレ等により当該包装箱の開口部側が搬送経路において物体に接触してしまったりすることがある。また、製品出荷後の配送過程においても同様の現象が起こり得る。
【０００７】
この場合において、特許文献１に記載の下部ガゼットが設けられていないマルチパック用包装箱は、底面板の開口部側端部と側面板の開口部側端部とが開口部側において露出しているため、開口部側での接触により底面板や側面板の開口部端部が損傷してしまうという問題や、底面板と側面板との連接部分（境界部分）に位置する折り線に沿って包装箱が破れてしまい、容器が脱落してしまうという問題がある。
【０００８】
このような実状のもと、本発明は、底面板と側面板との連接部分に衝撃が加えられたとしても、当該連接部分の損傷が起こり難く、容器（容器群）を強固に保持し続けることのできるマルチパック用包装箱を提供することを目的とする。
【課題を解決するための手段】
【０００９】
上記課題を解決するために、本発明は、複数個の容器が並列配置されてなる容器群の上面を覆う上面板と、前記上面板の両側部のそれぞれに連接され、並列配置された容器群の側面を覆うように対向配置される側面板と、前記側面板のそれぞれに連接され、互いに係着し得る係止部を有する底面板とを備え、前記底面板同士を係着することにより前記容器群を包むように収納可能であるとともに、前記側面板が存在しない両端部において前記容器群の一部の側面を視認可能な開口部が形成されるマルチパック用包装箱において、前記側面板と前記底面板との前記開口部近傍における境界部に位置し、前記側面板と前記底面板とを連接する連接部を有し、前記側面板の開口部側端辺のうちの前記底面板側に位置する開口部側端辺は、前記底面板に向かうに従って前記開口部側方向に傾斜する傾斜辺を含み、前記傾斜辺と、前記底面板の開口部側端辺とは、前記連接部の開口部側端辺を構成する連接辺を介して連続しており、前記連接部は、前記連接辺、前記開口部近傍における前記側面板と前記底面板との境界部に位置する所定の点から前記傾斜辺と前記連接辺との連続部に至る第１の折り線、及び当該所定の点から前記底面板の開口部側端辺と前記連接辺との連続部に至る第２の折り線により囲まれた領域として構成され、前記マルチパック用包装箱を組み立てたとき、前記連接辺は、前記開口部の開口縁の一部を構成するようにして前記開口部側に露出することを特徴とするマルチパック用包装箱を提供する（発明１）。
【００１０】
上記発明（発明１）においては、前記底面板の開口部側端辺は、当該底面板の開口部側端辺に連続する前記連接辺よりも前記開口部側に位置しているのが好ましい（発明２）。
【００１１】
上記発明（発明１，２）においては、前記側面板と前記底面板との境界部のうちの前記開口部近傍以外の部分に、折り線が形成されており、前記連接辺は、前記折り線を前記開口部側に伸ばした仮想線と交差するように位置しているのが好ましい（発明３）。
【００１２】
上記発明（発明１〜３）においては、前記連接辺は、角部が丸められてなる折曲部を有していてもよいし（発明４）、前記開口部側に向かって凸となる湾曲形状を有していてもよい（発明５）。
【００１３】
上記発明（発明１〜５）においては、前記傾斜辺と前記連接辺との連続部及び／又は前記底面板開口部側端辺と前記連接辺との連続部は、前記開口部側に向かって凹となる湾曲形状を有しているのが好ましい（発明６）。
【００１４】
上記発明（発明１〜６）においては、前記側面板と前記底面板との境界部のうちの前記開口部近傍以外の部分に、折り線が形成されており、前記折り線を跨ぐように容器底固定片が形成されているのが好ましい（発明７）。
【００１５】
また、本発明は、上記発明（発明１〜７）に係るマルチパック用包装箱に容器を収納してなることを特徴とするマルチパック包装製品を提供する（発明８）。
【発明の効果】
【００１６】
本発明によれば、底面板と側面板との連接部分に衝撃が加えられたとしても、当該連接部分の損傷が起こり難く、容器（容器群）を強固に保持し続けることのできるマルチパック用包装箱を提供することができる。
【図面の簡単な説明】
【００１７】
【図１】図１は、本発明の一実施形態に係るマルチパック用包装箱を示す展開図である。
【図２】図２は、図１に示す展開された箱オリジナル紙に缶製品を収納した状態で組み立てた斜視図である。
【図３】図３は、図１に示すＡ部の拡大図であり、保持フラップ機構部とこれに隣接する上部開口穴（端部開口穴）とを主として示す部分拡大図である。
【図４】図４は、図１に示すＢ部の拡大図であって、側面板と当該側面板に連接する底面板との連接部近傍を示す部分拡大図である。
【図５】図５は、上面板とこの上面板の両端に連接する側面板との連接部近傍を示した部分拡大平面図である。
【図６】図６は、容器底固定片を２段に折り曲げて容器底凹部内に挿着するとともに容器が動かないように固定した状態を模式的に示す部分拡大断面図である。
【図７】図７は、容器底固定片の近傍を主として示す部分拡大平面図である。
【発明を実施するための形態】
【００１８】
以下、本発明の実施の形態に係るマルチパック用包装箱について、図面を参照しつつ説明する。なお、本実施形態においては、缶ビールを６個収納（直列した３缶を２列に並列配置させて収納）することのできる一般的なマルチパック用包装箱を例に挙げて説明するが、本発明に係るマルチパック用包装箱は、これに限定されるものではない。
【００１９】
図１は、本実施形態に係るマルチパック用包装箱１を示す展開図であり、図２は、図１に示す展開された箱オリジナル紙に缶製品を収納した状態で組み立てた斜視図であり、図３は、図１に示すＡ部の拡大図であり、保持フラップ機構部とこれに隣接する上部開口穴（端部開口穴）とを主として示す部分拡大図であり、図４は、図１に示すＢ部の拡大図であって、側面板と当該側面板に連接する底面板との連接部近傍を示す部分拡大図であり、図５は、上面板とこの上面板の両端に連接する側面板との連接部近傍を示した部分拡大平面図であり、図６は、容器底固定片を２段に折り曲げて容器底凹部内に挿着するとともに容器が動かないように固定した状態を模式的に示す部分拡大断面図である。
【００２０】
本実施形態に係るマルチパック用包装箱１は、図１に示す展開シート（パック用シート）を組み立てることによって形成することができ、展開シートは、図１に示すように、横長の略矩形形状をなしている。
【００２１】
なお、本実施形態に係るマルチパック用包装箱１について説明する上で、便宜上、展開シートの短手方向を「幅方向」と、展開シートの長手方向を「長さ方向」と称することとする（図１に示した矢印を参照）。
【００２２】
図１に示す展開シートにおいて、その中央部は上面板２を構成し、上面板２の両端部のそれぞれに側面板３，４が折り線２ａを介して連接されている。そして、側面板３における、上面板２が連接されている端部（折り線２ａ側）と対向する端部には底面板５が折り線３ａ，５ａを介して連接され、側面板４における、上面板２が連接されている端部（折り線２ａ側）と対向する端部には底面板６が折り線３ａ，５ａを介して連接されている。なお、折り線５ａは、その両端部が開口部Ｐ側の端部にまで至るように側面板３，４と底面板５，６との境界部分に形成されているが、折り線３ａは、開口部Ｐ側の端部にまでは至らないように側面板３，４と底面板５，６との境界部分に形成されている。
【００２３】
本実施形態においては、上面板２は、直列３個を並列２列に起立状態に整列させた缶ビール６個の上面を覆うように、幅方向には略ビール缶３缶分、長さ方向には略ビール缶２缶分の長さからなる面積を備えている。そして、上面板２の両端部には缶ビールの側部を覆うようにその高さに相当する側面板３，側面板４がそれぞれ境界線をなす折り線２ａを介して連接されている。
【００２４】
底面板５，６には、互いに係着し得る係止部７（底面板５側），８（底面板６側）が、それぞれ形成されている。係止部７の係止孔７ａと係止部８の切り込み部分８ａとが対になり、また、係止部７の切り込み孔７ｂと係止部８の係止片部分８ｂとが対となり、底面板５，６が互いに係着される。
【００２５】
そして、係止部７，８を介して底面板５，６を係着することにより、複数の缶容器１００からなる容器群を包むように収納できるマルチパック用包装箱１が組立てられる（図２参照）。その結果、側面板３，４が存在しない両端部において容器群の一部の側面を視認可能な開口部Ｐが、それぞれ形成されることになる。
【００２６】
図１に示すように、側面板３，４の両端部（開口部Ｐ側）における上面板２側には、内部に収納される容器が包装箱の開口部Ｐから飛び出したり脱落したりするのを防止し得る、容器の上部を保持するための保持フラップ機構部９０が形成されている。
【００２７】
さらに、上面板２と側面板３，４との連接部分の近傍であって、開口部Ｐに近い位置に、開口部Ｐ側に配置された４つの容器のそれぞれに対応する４つの端部開口穴２１が形成されており、端部開口穴２１の間に位置するように、略中央に配置された２つの容器のそれぞれに対応する２つの中部開口穴２２が形成されている。この容器に対応する端部開口穴２１及び中部開口穴２２の縁部の一部が容器の上部に当接することによって、収納される容器の上部が係止される。本実施形態においては、端部開口穴２１及び中部開口穴２２と保持フラップ機構部９０との双方の係止効果によって、これらと係合される容器の保持力を格段に向上させることができる。さらには、このような仕様によりマルチパック用包装箱１の少なくとも幅方向の寸法を短縮することができるため、紙原料の使用量の削減を図ることができる。
【００２８】
保持フラップ機構部９０は、開口部Ｐの内側に折り込まれて容器を保持する機能を有する押込フラップ片９２と、容器の上部を係止して抜き止め作用をする抜き止め帯片９１とを有する。
【００２９】
押込フラップ片９２は、山折り線９２ａを介してマルチパック用包装箱１の内部に折り込まれるように構成されている。そのため、山折り線９２ａは、組み立てられたマルチパック用包装箱１における側面板３，４の開口部Ｐ側の端部を構成することになる。抜き止め帯片９１は、谷折り線９１ａを介してその一部が押込フラップ片９２に連続するとともに、谷折り線９１ｂを介してその一部が上面板２に連続するように構成されており、抜き止め帯片９１と押込フラップ片９２との境界の一部は離間されている。このように、これらの境界の一部が離間されていることによって、押込フラップ片９２のマルチパック用包装箱１の内部への折り込み及び抜き止め帯片９１の谷折りの操作が可能となる。
【００３０】
本実施形態における抜き止め帯片９１の帯状形態の片端部９１’は、端部開口穴２１の開口形態によって形作られている。そして、山折り線９２ａの片端及び谷折り線９１ａの片端は、それぞれ、端部開口穴２１に至るまで延設されている。
【００３１】
図３に示すように、本実施形態における山折り線９２ａは、長さ方向に平行なライン、又は上面板２に向かうに従い開口部Ｐ側方向（外側方向）に傾斜したライン（長さ方向に対する傾斜角度θ＝０°超５°以下、好ましくは１〜３°）として構成されている。この山折り線９２ａの傾斜角度θは、マルチパック用包装箱１に収納される容器の胴径等に応じて、最適な保持力を奏し得るように適宜設定することができる。
【００３２】
また、本実施形態において、端部開口穴２１の開口形態は、図３に示すように、頂点が丸められた略逆三角形状であって、最下点を側面板３，４の開口部Ｐ側にシフトさせた形態（略逆直角三角形状）とするのが好ましい。中部開口穴２２の開口形態は、図１に示すように、側面板３，４から上面板２に向かって拡がる略ベル形状（略鐘形状）であるのが好ましい。
【００３３】
図１に示すように、本実施形態における側面板３，４の開口部Ｐ側の端辺のうち、底面板５，６側に位置する開口部Ｐ側の端辺は、押込フラップ片９２の下端９２ｂから底面板５，６側に向けて伸びる非傾斜辺３Ａ，４Ａと、この非傾斜辺３Ａ，４Ａに連続し、開口部Ｐ側方向（外側方向）に傾斜する傾斜辺３Ｂ，４Ｂとを含む。
【００３４】
開口部Ｐの近傍における側面板３，４と底面板５，６との境界部においては、連接部８０を介して側面板３，４と底面板５，６とが連接されている。かかる連接部８０は、図４に示すように、一端が傾斜辺３Ｂ（４Ｂ）に連続し、他端が底面板５（６）の開口部Ｐ側の端辺５Ａ（６Ａ）に連続する連接辺８０Ａ、傾斜辺３Ｂ（４Ｂ）と連接辺８０Ａとの連続部８１にまで至る山折り線８０ａ、及び底面板５，６の開口部Ｐ側の端辺５Ａ（６Ａ）と連接辺８０Ａとの連続部８２にまで至る山折り線８０ｂにより囲まれた領域（略三角形状の領域）として構成される。
【００３５】
図４に示すように、連接部８０は、側面板３（４）と底面板５（６）との連接部分（境界部分）に位置するようにして設けられる。そして、連接辺８０Ａは、底面板５（６）の開口部Ｐ側の端辺５Ａ（６Ａ）よりも内側に位置し、山折り線３ａを開口部Ｐ側に向けて伸ばした仮想線ＶＬと交差するように位置する。このような位置関係で連接部８０が設けられていることで、当該連接部８０（連接辺８０Ａ）に対して衝撃が加わり難くなり、仮に連接部８０（連接辺８０Ａ）に対して衝撃が加わったとしても、山折り線８０ａ，８０ｂに沿って連接部８０がマルチパック用包装箱１の内側に向けて折れ曲がることで当該衝撃を吸収し得るため、当該連接部８０の破損を抑制することができる。すなわち、山折り線８０ａ，８０ｂの存在により、連接部８０に加えられた衝撃に対する緩衝効果が奏されることになる。
【００３６】
本実施形態において、連接辺８０Ａは、傾斜辺３Ｂ（４Ｂ）と端辺５Ａ（６Ａ）との間に介在しており、その形状は、角部が丸められた折曲部を両端部に有する形状であってもよいし、開口部Ｐ側に向けて凸になる湾曲形状を有していてもよい。連接辺８０Ａがこのような形状を有することで、連接部８０（連接辺８０Ａ）に対して加わった衝撃を分散することができるため、連接部８０の破損をより抑制することができる。
【００３７】
２本の山折り線８０ａ，８０ｂのなす角度θ’は、連接部８０（連接辺８０Ａ）に対して加わった衝撃を吸収可能であり、当該連接部８０の破損を抑制可能である限り特に制限されるものではないが、好適には９０〜１００°程度である。
【００３８】
傾斜辺３Ｂ（４Ｂ）と連接辺８０Ａとの連続部８１及び端辺５Ａ（６Ａ）と連接辺８０Ａとの連続部８２は、開口部Ｐ側に向けて凹になる湾曲形状（曲率半径０．７ｍｍ程度（Ｒ０．７））を有している。連続部８１，８２は、連接部８０（連接辺８０Ａ）に加わった衝撃が集中しやすい部分であり、また、当該連続部８１，８２に至る山折り線８０ａ，８０ｂ部分がその他の部分（折り線が形成されていない部分）に比して低強度であることで、連続部８１，８２が角形状を有していると、当該衝撃により山折り線８０ａ，８０ｂに沿って破損しやすくなる。しかし、本実施形態においては、連続部８１，８２が湾曲形状を有していることで、連接部８０（連接辺８０Ａ）に加わった衝撃が連続部８１，８２に集中し難くなるため、山折り線８０ａ，８０ｂに沿って破損してしまうのを抑制することができる。
【００３９】
なお、傾斜辺３Ｂ（４Ｂ）は、折曲点３Ｃ（４Ｃ）にて連続部８１に向かって折れ曲がり、当該連続部８１にて連接辺８０Ａに連続している。また、端辺５Ａ（６Ａ）は、折曲点５Ｂ（６Ｂ）にて連続部８２に向かって折れ曲がり、当該連続部８２にて連接辺８０Ａに連続している。かかる折曲点３Ｃ（４Ｃ），５Ｂ（６Ｂ）は、開口部Ｐ側に向けて凸になる湾曲形状（曲率半径１ｍｍ程度（Ｒ１））を有している。これにより、当該折曲点３Ｃ（４Ｃ），５Ｂ（６Ｂ）に手指が触れたとしても痛みを伴うことがないという効果を奏し得る。
【００４０】
なお、図５に示すように、両端部の容器に対応して設けられた端部開口穴２１の中心線Ｇ１は、両端部に位置して収納されている容器の中心線Ｂ１より、外方（開口部側）にずれているのが望ましい。端部に位置する端部開口穴２１の中心線Ｇ１は、端部基準線Ｌ１と平行な線であり、容器の中心線Ｂ１も、端部基準線Ｌ１と平行な線である。ずれ距離Ｋ１（単位：ｍｍ）は、０．５〜３．０ｍｍ程度に設定すればよい。このようにして両端部に位置する端部開口穴２１の中心位置を、缶容器の中心位置に対して、幅方向の外側に向けて所望の距離Ｋ１のずれを生じさせることによって、缶の保持力を向上させることができる。
【００４１】
図５に示すように、中部開口穴２２は、その幅Ｐ２２が端部開口穴２１の幅Ｐ１１よりも大きくなるように形成されるのが望ましい。これらの幅の比（Ｐ２２／Ｐ１１）は、好ましくは１．１〜１．５、より好ましくは１．２〜１．４の範囲で適宜設定することができる。さらに、中部開口穴２２は、その開口面積Ｓ２が端部開口穴２１の開口面積Ｓ１よりも大きくなるように形成されるのが好ましい。これらの開口面積比（Ｓ２／Ｓ１）は、１．１〜３．１の範囲で適宜設定することができる。
【００４２】
なお、図１に示すように、上面板２には、指を挿入して持ち上げるための２つのフィンガーホール１６と、切り取り線１７とが形成されている。この切り取り線１７により、上面引裂き開口片が形成されており、上面引裂き開口片の引き剥がし操作が可能となっている。
【００４３】
図１に示すように、側面板３，４と底面板５，６との境界部分には、収容される複数の容器のそれぞれに対応する容器底固定片３０が、側面板３，４と底面板５，６との折り線３ａ，５ａを跨ぐようにして形成されている。また、容器底固定片３０上には、折り線５ａと同一線上に基端を有する略半円弧状の切り取り線が形成されており、この切り取り線により係止爪部３１が構成されている。容器底固定片３０は、その一辺が基部３３として底面板５，６に固着されているとともに、容器底固定片３０の形態に沿って底面板５，６から切り取られることで、基部３３を基線として可動状態になるように構成されている。
【００４４】
かかる容器底固定片３０は、図６に示すように、缶容器１００の容器底凹部１１５内に潜り込ませて、基端部３２を基線として折り曲げられ、先端３５がリング状の凸状リム部１１１の内側湾曲部に当接されるように構成され、これにより、容器の固定がアシストされる。そして、基端部３２を基線として折り曲げられるときに、略半円弧状の切り取り線３４により切り取られ、基部３３及び基端部３２を含む面と同一平面を構成するように立設する係止爪部３１が現れることになる。この係止爪部３１が缶容器１００の底部に当接していることで、先端３５が容器底凹部１１５内から飛び出そうとしたときに係止爪部３１と缶容器１００の底部との間に摩擦が生じることとなる。その結果として、容器底固定片３０が缶容器の底部に係止された容器底固定片３０（先端３５）が容器底凹部１１５内から飛び出してしまうのを抑制することができ、容器の固定がより強固にアシストされることになる。
【００４５】
このような容器底固定片３０の好適な形態について、以下に説明する。
図７に示すように、複数（６つ）の容器底固定片３０のうち、幅方向略中央に位置する２つの容器底固定片３０は、基部３３と先端３５との間であって、基部３３から、先端３５の容器底の固定に必要な設置幅Ｗ１に至るまでの間に、基部３３の両側部の幅（基準幅）Ｗ０よりも広幅の２つの拡張部３６，３８を有する。先端３５は、容器１００の容器底１１０周縁に形成されたリング状の凸状リム部１１１の内側湾曲形状に沿った形状を有する。このような形状を有することで、リング状の凸状リム部１１１の内側に当該先端３５を当接させたときに、容器の保持力を向上させることができる（図６参照）。
【００４６】
図７に示す実施形態の容器底固定片３０は、基部３３から先端３５に向かっていく途中に、外方に膨らむ第１の拡張部３８（幅Ｗ４）を有し、さらに先端３５側に、第２の拡張部３６（幅Ｗ５）を有する。つまり、２つの広幅の拡張部のうち、第２の拡張部３６が、容器底の固定に必要な設置幅Ｗ１に至る直前に設けられており、第１の拡張部３８が第２の拡張部３６よりも基部３３側に設けられている。第２の拡張部３６を設けることにより、容器底固定片３０の先端３５における容器底の固定に必要な設置幅Ｗ１を増大させることができるとともに、極端な凹凸のない簡易な容器底固定片３０の形態が実現でき、高速自動充填機械によるパッケージングをより確実に行なうことができる。
【００４７】
一方、開口部Ｐ近傍に位置する４つの容器底固定片３０は、第１の拡張部３８が、幅方向内側に向かって広幅となっているが、開口部Ｐ側に向かっては広幅となっていない点以外は、上述した幅方向略中央に位置する２つの容器底固定片３０と略同様の構成を有する。当該容器底固定片３０における第１の拡張部３８を、開口部Ｐ側に向かって広幅としてしまうと、容器底固定片３０がその形態に沿って切り取られた後の開口穴の縁部と、底面板５，６の開口部側端辺５Ａ，６Ａとの間の長さが短くなってしまい、当該部分の強度が低下してしまうおそれがある。
【００４８】
上述したような構成を備える本実施形態に係るマルチパック用包装箱１の中に容器（６個の缶容器）を収納することにより、マルチパック包装製品が完成する。
【００４９】
以上説明した実施形態は、本発明の理解を容易にするために記載されたものであって、本発明を限定するために記載されたものではない。したがって、上記実施形態に開示された各要素は、本発明の技術的範囲に属する全ての設計変更や均等物をも含む趣旨である。
【００５０】
上記実施形態においては、缶ビールを包装するためのマルチパック用包装箱を例にとって説明したが、本発明はこれに限定されるものではなく、例えば、発泡酒缶、チューハイ缶等のアルコール飲料缶や、缶ジュース、缶コーヒー、缶紅茶、缶入り茶等のノンアルコール飲料缶などその他の各種缶製品に適用してもよい。
【００５１】
上記実施形態においては、容器底固定片３０上に形成された略半円弧状の切り取り線により構成される係止爪部３１を有しているが、本発明はこれに限定されるものではなく、かかる係止爪部３１を有していなくてもよい。
【実施例】
【００５２】
〔実施例１〕
図１に示す展開シートを組み立てて、３５０ｍＬ缶ビール６本を纏めて包装したマルチパック用包装箱１を２０パック用意した。次に、直方体形状のラップアラウンド式包装箱５ケースのそれぞれに当該マルチパック用包装箱１を４パック（縦２パック×横２パック）ずつ纏めて梱包した。そして、当該ラップアラウンド包装箱の底面板側における任意の一の角部から落下するように、所定の高さから各ラップアラウンド式包装箱を落下させた。
【００５３】
〔比較例１〕
実施例１におけるマルチパック用包装箱１を、米国特許第６９８８６１７号の図１（Ｆｉｇ．１）に記載の包装箱（６本の３５０ｍＬ缶ビールを纏めて包装）に変更した以外は、実施例１と同様にしてラップアラウンド式包装箱を落下させた。
【００５４】
上記落下試験の結果、実施例１のマルチパック用包装箱１においては、連接部８０に損傷（破損）は見られなかった。一方、比較例１のマルチパック用包装箱合計２０パック（ラップアラウンド式包装箱５ケース×マルチパック用包装箱４パック）中の４パックにおいて、実施例１のマルチパック用包装箱１の連接部８０に相当する部分に損傷（破損）が見られた。
【００５５】
上記試験結果から明らかなように、実施例１のマルチパック用包装箱１によれば、連接部８０（連接辺８０Ａ）に対して衝撃が加わったとしても、山折り線８０ａ，８０ｂに沿って連接部８０がマルチパック用包装箱１の内側に向けて折れ曲がるため、当該衝撃を吸収することができ、当該連接部８０の破損が生じるのを抑制することができる。
【産業上の利用可能性】
【００５６】
本発明のマルチパック用包装箱は、例えば缶ビール、発泡酒缶、チューハイ缶等のアルコール飲料缶や、缶ジュース、缶コーヒー、缶紅茶、缶入り茶等ノンアルコール飲料缶等の一定数量の容器を包装するための包装箱であり、包装産業一般において利用することができる。
【符号の説明】
【００５７】
１…マルチパック用包装箱
２…上面板
３，４…側面板
３Ｂ，４Ｂ…傾斜辺
５，６…底面板
５Ａ，６Ａ…開口部側端辺
３０…容器底固定片
８０Ａ…連接辺
８０ａ，８０ｂ…山折り線（第１の折り線，第２の折り線）
８１，８２…連続部
Ｐ…開口部
ＶＬ…仮想線
【図１】
0005797493.tif 000002
【図２】
0005797493.tif 000003
【図３】
0005797493.tif 000004
【図４】
0005797493.tif 000005
【図５】
0005797493.tif 000006
【図６】
0005797493.tif 000007
【図７】
0005797493.tif 000008